(57)【要約】【課題】非接触ＩＣカード機能を搭載した携帯端末の不使用状態でその所有者以外の者が外部から不正にアクセスすることを防止する。【解決手段】非接触ＩＣカード部１８に対する無線アクセス信号を検出したとき、傾きセンサ１７により検出された傾きが所定の傾き範囲内にある場合に外部からのアクセスを受け入れ、所定の傾き範囲内にない場合には非接触ＩＣカード部１８の機能を無効化する。但し、ユーザが意図的に非接触ＩＣカード機能の無効化を抑止することも可能である。【選択図】図１
2006340069.tif 000002
【特許請求の範囲】
【請求項１】
非接触ＩＣカード機能を実現するための非接触ＩＣカード部と、
端末の傾きを検出する傾き検出手段と、
前記非接触ＩＣカード部に対する無線アクセス信号を検出したとき、前記傾き検出手段により検出された傾きが所定の傾き範囲内にあるか否かを判断し、所定の傾き範囲内にない場合には非接触ＩＣカード部の機能を無効化する制御手段と
を備えたことを特徴とする非接触ＩＣカード機能付き携帯端末。
【請求項２】
前記非接触ＩＣカード機能が無効化されたとき、その旨をユーザに報知する報知手段を備えたことを特徴とする請求項１記載の非接触ＩＣカード機能付き携帯端末。
【請求項３】
ユーザの操作に応じて前記非接触ＩＣカード機能の無効化を抑止する抑止手段を備えたことを特徴とする請求項１記載の非接触ＩＣカード機能付き携帯端末。
【請求項４】
前記所定の傾き範囲をユーザが設定する手段を備えたことを特徴とする請求項１記載の非接触ＩＣカード機能付き携帯端末。
【請求項５】
非接触ＩＣカードの傾きを検出する傾き検出手段と、
非接触ＩＣカードに対する無線アクセス信号を検出したとき、前記傾き検出手段により検出された傾きが所定の傾き範囲内にあるか否かを判断し、所定の傾き範囲内にない場合には非接触ＩＣカード部の機能を無効化する制御手段と
を備えたことを特徴とする非接触ＩＣカード。
【発明の詳細な説明】
【技術分野】
【０００１】
本発明は、非接触ＩＣカードおよびその機能を搭載した非接触ＩＣカード機能付き携帯端末に関し、特に非接触ＩＣカードへの外部からの不正なアクセスを防止する技術に関するするものである。
【背景技術】
【０００２】
近年、外部のリーダライタとの間で無線により通信を行って必要な処理を行う非接触ＩＣカードは交通定期券などの用途として普及してきている。このような非接触ＩＣカードは、財布や定期入れなどに収納したまま利用できるため利便性が高い。現在では非接触ＩＣカードに電子マネー機能も追加され、物品やサービスの購入にも利用できるようになってきている。
【０００３】
非接触ＩＣカードの利用時にその所有者本人のみが利用できるように、非接触ＩＣカードに本人認証機能が備えられているものも提案されている（特許文献１参照）。
【特許文献１】特開２００２−１５２９８号公報
【発明の開示】
【発明が解決しようとする課題】
【０００４】
現在、非接触ＩＣカードの機能を携帯電話機のような携帯端末に搭載することによって、より一層の利便化が図られようとしている。
【０００５】
非接触ＩＣカードやその機能を搭載した携帯端末が、ユーザにより携帯される場合、ユーザが着ている洋服のポケットや鞄の中に収納されることが多い。
【０００６】
上記のような本人認証機能は必ずしもすべての非接触ＩＣカードに備えられているものではない。
【０００７】
上述した財布や定期入れなどに収納したまま利用できるという利便性の反面、本人認証機能を搭載していない非接触ＩＣカードに対しては、そのユーザが利用していない収納状態で、悪意のある第三者が非接触ＩＣカードに対してカードリーダを近づけると、その所有者の意図に反して、外部から不正にその非接触ＩＣカードにアクセスしてカード情報を読み取ったり書き替えたりすることが可能であり、セキュリティ的に問題であった。
【０００８】
本発明はこのような背景において、非接触ＩＣカード機能を搭載した携帯端末の不使用状態でその所有者以外の者が外部から不正にアクセスすることを防止しようとするものである。
【課題を解決するための手段】
【０００９】
本発明による非接触ＩＣカード機能付き携帯端末は、非接触ＩＣカード機能を実現するための非接触ＩＣカード部と、端末の傾きを検出する傾き検出手段と、前記非接触ＩＣカード部に対する無線アクセス信号を検出したとき、前記傾き検出手段により検出された傾きが所定の傾き範囲内にあるか否かを判断し、所定の傾き範囲内にない場合には非接触ＩＣカード部の機能を無効化する制御手段とを備えたことを特徴とする。
【００１０】
通常、非接触ＩＣカード部は地面に対して水平方向またはそれに近い角度で使用されることが多い。そこで、前記制御手段は、前記非接触ＩＣカード部に対する無線アクセス信号を検出しても、そのことによって直ちに非接触ＩＣカード部の機能を有効化するのではなく、前記傾き検出手段により検出した端末の傾きを判断する。この検出された端末の傾きが所定の傾き範囲内にない場合、例えば、衣服のポケット内にほぼ鉛直方向またはこれに近い方向で収納されているような場合、その端末の姿勢はユーザによる予定された使用状態ではないと判断して非接触ＩＣカード部の機能を無効化する。これにより、外部から非接触ＩＣカード部への不正にアクセスされることを防止できる。
【００１１】
なお、ユーザの操作に応じて前記非接触ＩＣカード機能の無効化を抑止する抑止手段を設けることにより、所定の傾き範囲内にない場合でも非接触ＩＣカード部の機能をユーザが意識的に使用したい場合に対応することが可能である。
【発明の効果】
【００１２】
本発明によれば、端末または非接触ＩＣカードの傾きを検出することにより、端末内の非接触ＩＣカード部または単体の非接触ＩＣカードに対して悪意のある第三者がカードリーダを近づけ、例えば有価情報を盗み取る等の不正なアクセスがなされることを、特にユーザが意識することなく、未然に阻止することができる。
【発明を実施するための最良の形態】
【００１３】
以下、本発明の好適な実施の形態について図面を参照しながら詳細に説明する。
【００１４】
図１は、本発明の実施の形態に係る携帯端末１０の概略内部構成を示す図である。ここでは携帯端末１０の一例として携帯電話機について説明するが、これに限られるものではない。
【００１５】
携帯端末１０は、ＣＰＵ１１、メモリ１２、操作部１３、表示部１４、通信部１５、音声処理部１６、傾きセンサ１７、非接触ＩＣカード部１８を備えて構成される。
【００１６】
ＣＰＵ１１は、プログラム制御により端末全体の制御を司る中央処理装置である。メモリ１２は、ＣＰＵ１１の実行するプログラムやフォントデータ等の各種データを不揮発的に格納するＲＯＭ（再書き込み可能なメモリ部を含んでもよい）およびＣＰＵ１１により利用されるデータの作業領域や一時記憶領域を提供するＲＡＭを含む。
【００１７】
操作部１３は、ユーザが携帯端末１０に対して指示やデータを入力するためのユーザインタフェース部であり、例えば携帯電話機の場合には、通話キー、終話キー、テンキー、カーソル操作キー等の各種のキーやダイヤル等を含む。
【００１８】
表示部１４は、携帯端末１０がユーザに対して各種の情報（テキストや画像データ等）を表示画面に表示するユーザインタフェース部であり、例えば、液晶、有機ＥＬ等のディスプレイを含む。
【００１９】
通信部１５は、アンテナ（図示せず）を介して携帯電話の基地局と無線通信を行う部位である。
【００２０】
音声処理部１６は、マイク（図示せず）からの音声入力信号およびスピーカ（図示せず）への音声出力信号について、所定の処理を行う部位である。
【００２１】
傾きセンサ１７は、携帯端末１０の傾き（姿勢）を検知するための傾き検出手段であり、例えば、ジャイロセンサなどにより構成される。
【００２２】
非接触ＩＣカード部１８は、携帯端末１０に非接触ＩＣカード機能を付与する機能部であり、外部リーダライタ（Ｒ／Ｗ）２０との間での無線通信を行い、所定の処理を実行する。図では非接触ＩＣカード部１８をＩＣカード状の形状で図示したが、携帯端末１０に内蔵される実際の非接触ＩＣカード部１８の形状はＩＣカード状である必要はない。
【００２３】
電源部１９は、携帯端末１０の各部に動作電力を提供する部位であり、バッテリ、充電器および電源回路により構成される。非接触ＩＣカード部１８の動作電力は、外部リーダライタ２０からの受信信号から得てもよいし、電源部１９から得てもよい。
【００２４】
図２は、図１に示した携帯端末１０の内部の主要な要素の配置例を示す概略側面図である。この例では、携帯端末１０として、上側筐体３１と下側筐体３２とをヒンジ部３５で回転可能に接続した折り畳み式の端末を示しているが、本発明の携帯端末１０は必ずしも折り畳み式である必要はない。
【００２５】
この例では、下側筐体３２内に配置されたプリント基板３３に傾きセンサ１７を搭載し、下側筐体３２の内部の外側面に面する位置に非接触ＩＣカード部１８を配置している。この携帯端末１０の非接触ＩＣカード機能を利用する場合、ユーザは、携帯端末１０を片手で保持して、非接触ＩＣカード部１８の外側面（図では下側）を外部リーダライタ２０へ向けて利用する。
【００２６】
図３は、本実施の形態の携帯端末１０の各種の姿勢（傾き）の例を示している。前述したように、携帯端末１０に内蔵される実際の非接触ＩＣカード部１８の形状はＩＣカード状である必要はないが、非接触ＩＣカード機能の使用時には非接触ＩＣカード部１８が内蔵された筐体（ここでは下側筐体３２）の外側面を外部リーダライタへ向けて利用するので、当該筐体の外側面（以下、筐体面という）を非接触ＩＣカードの面と等価な面として考え、この面の傾きを考慮する。
【００２７】
図３（ａ）は、携帯端末１０の筐体面４０が鉛直方向に沿っている状態、すなわち、地面（水平面）に対してほぼ９０°の傾きを示している状態を表している。図３（ｂ）は、携帯端末１０の筐体面４０が地面に対してほぼ６０°の傾きを示している状態を表している。図３（ｃ）は、携帯端末１０の筐体面４０が地面に対してほぼ１０°の傾きを示している状態を表している。本実施の形態では、ユーザが携帯端末１０の非接触ＩＣカード機能を利用する際には、携帯端末１０の筐体面４０が地面に対してほぼ平行または平行に近い傾きの状態で利用されることが多いことに鑑みて、携帯端末１０の筐体面４０が地面となす角度（傾き）を傾きセンサ１７で検出し、この検出された傾きが所定の角度以内であるときには非接触ＩＣカード機能を有効化し、所定の角度を超えるときには非接触ＩＣカード機能を無効化する。「所定の角度」は非接触ＩＣカード機能の有効化と無効化の境界となる閾値角度であり、本実施の形態では３０°程度を想定している。但し、閾値角度はこれに限るものではなく、ユーザが任意に設定できるようにしてもよい。
【００２８】
なお、地面に対してほぼ垂直方向に非接触ＩＣカードを使う場合もありうる。そのような場合には、別途、ユーザ操作によって非接触ＩＣカード機能を有効化することを想定している。
【００２９】
図４は、本実施の形態における携帯端末１０の非接触ＩＣカード部１８に関する動作例を示すフローチャートである。
【００３０】
携帯端末１０の電源がＯＮされている状態で、非接触ＩＣカード部１８に対して外部リーダライタ２０（図１）からＲＦ信号の供給があるかどうかを監視する（Ｓ１１）。外部リーダライタ２０からの無線信号（ＲＦ信号）を検出すると、非接触ＩＣカード部１８へ動作電力を供給する（Ｓ１２）。この電力は、前述のようにＲＦ信号に基づいて生成してもよいし、電源部１９から供給するようにしてもよい。後者の場合、本実施の形態では、携帯端末１０のバッテリの消費量低減のために必要時にのみ非接触ＩＣカード部１８への電力供給を行う。
【００３１】
ＣＰＵが非接触ＩＣカード部１８へ電力供給が開始されたことを検出すると（Ｓ１３）、傾きセンサ１７への電力供給を開始してその動作を起動する（Ｓ１４）。本実施の形態では、携帯端末１０のバッテリの消費量低減のために傾きセンサ１７についても必要時にのみ電力供給を行うようにしている。
【００３２】
次いで、傾きセンサ１７により検出された携帯端末１０の傾きが、前述したような所定の傾き範囲内にあるか否かを判断する（Ｓ１５）。所定の範囲内にあれば、非接触ＩＣカード部１８を制御して、その機能を有効化する（Ｓ１６）。これにより、非接触ＩＣカード機能の処理を実行する（Ｓ１７）。その後、最初のステップＳ１１へ戻る。
【００３３】
ステップＳ１５において、携帯端末１０の傾きが所定の傾き範囲内でなければ、非接触ＩＣカード部１８を制御して、その機能を無効化する（Ｓ１８）。
【００３４】
図５は、図４の処理の変形例を示している。図５において図４と同様の処理ステップには同じ参照符号を付し、重複した説明は省略する。図５の処理においては、判断ステップＳ１５のＮｏ分岐に対してステップＳ２０を追加している。このステップＳ２０では、外部リーダライタ２０からＲＦ信号を受信したにも関わらず、端末の傾きが所定条件を満たさないために非接触ＩＣカード機能が無効化されたことをユーザに知らしめるアラームを発生する。このアラームとしては、表示部１４へのテキストや図形・画像等によるメッセージの表示および／またはアラーム音や音声メッセージの出力等を採用することができる。ステップＳ２０は「非接触ＩＣカード機能を無効化」するステップＳ１８の後に実行されてもよい。
【００３５】
図６は、図４の処理のさらに他の変形例を示している。図６において図４と同様の処理ステップには同じ参照符号を付し、重複した説明は省略する。図６の処理においては、判断ステップＳ１５のＮｏ分岐に対してステップＳ３０を追加している。このステップＳ３０は、ユーザによる操作部１３の指示等により「無効化抑止指示」がなされている場合には、ステップＳ１８へ進まずに、ステップＳ１６へ移行して非接触ＩＣカード機能を有効化するものである。これは、次のような場合を想定している。非接触ＩＣカード機能の利用時には携帯端末１０の筐体面を、上記の所定の角度範囲外（例えば鉛直方向）で使用しなければならない場合もありうる。このような場合、ユーザは携帯端末１０を把持して利用するので、その際に所定のキーを指で押下しながら外部リーダライタ２０に接近させることにより、非接触ＩＣカード機能の無効化を抑止することができる。「所定のキー」としては、図７に示すように、端末の所定の位置に、専用の無効化抑止キー５０を設けてもよいし、既存の１以上のキーを利用するようにしてもよい。また、所定のキーの押下は「無効化抑止指示」の一例であって、これに限るものではない。例えば、ユーザの手や指の接触、圧力等を検出するセンサ、あるいは、ユーザの音声を認識するセンサ等を設けて、これらのセンサの検出結果を無効化抑止指示として利用してもよい。
【００３６】
図示しないが、図５と図６の処理を折衷したものとして、ステップＳ２０でユーザに対してアラームを発生する際に、ユーザに対して無効化抑止を行うか否かを問い合わせ、ユーザの許可を得て（例えば所定のキーの押下を受けて）、無効化を抑止する（すなわち外部からのアクセスを受け入れる）ようにしてもよい。
【００３７】
上記説明において無効化抑止はユーザが必要時にその都度指示する構成とした。しかし、初期設定として例えば図８に示すような操作画面においてユーザが非接触ＩＣカード機能無効化抑止のＯＮ／ＯＦＦを予め選択して設定できるようにしてもよい。この無効化抑止をＯＮにしておけば、次にＯＦＦにするまでの間継続して無効化抑止状態を維持することができる。この場合の処理は、図６に示した処理と同様であるが、ステップＳ３０では「無効化抑止指示」ではなく「無効化抑止設定」のＯＮ／ＯＦＦを判断することになる。
【００３８】
図９は本発明の第２の実施の形態に係る非接触ＩＣカード６０の主要な内部構成の例を示している。この非接触ＩＣカード６０は、外部リーダライタ２０からの無線信号（ＲＦ信号）を受信するアンテナ６１、このアンテナ６１を介して無線信号を送受信を行う無線部６２、各種信号処理および制御（上記機能無効化を含む）を行う制御部６３、プログラムやデータを記憶する記憶部６６、傾きセンサ６７、電源部６９を備えている。この例では電源部６９は無線部６２で受信した無線信号から動作電圧を生成する例を示しているが、内蔵電池を使用するものであってもよい。
【００３９】
この非接触ＩＣカード６０の本発明に係る動作は図４に示したものと同様である。
【００４０】
以上、本発明の好適な実施の形態について説明したが、上記で言及した以外にも種々の変形、変更を行うことが可能である。例えば、非接触ＩＣカード機能のＯＮ／ＯＦＦはＣＰＵ等の制御部を介して制御したが、傾きセンサが単独で非接触ＩＣカード機能を制御できるのであれば、制御部を介する必要はない。
【００４１】
携帯端末の所定の傾き範囲を操作部からユーザが設定できるようにしてもよい。
【００４２】
また、非接触ＩＣカード自体に傾きセンサを搭載可能であれば、携帯端末ではなく、非接触ＩＣカードに本発明を適用することも可能である。
【図面の簡単な説明】
【００４３】
【図１】本発明の実施の形態に係る携帯端末の概略内部構成を示す図である。
【図２】図１に示した携帯端末の内部の主要な要素の配置例を示す概略側面図である。
【図３】本発明の実施の形態における携帯端末の各種の姿勢（傾き）の例を示す図である。
【図４】本発明の実施の形態における携帯端末の非接触ＩＣカード部に関する動作例を示すフローチャートである。
【図５】図４の処理の変形例を示すフローチャートである。
【図６】図４の処理の他の変形例を示すフローチャートである。
【図７】本発明の実施の形態における「無効化抑止指示」のための無効化抑止キーを備えた端末を示す図である。
【図８】本発明の実施の形態においてユーザが非接触ＩＣカード機能無効化抑止のＯＮ／ＯＦＦを予め選択して設定することができる設定画面を示す図である。
【図９】本発明の第２の実施の形態に係る非接触ＩＣカードの主要な内部構成の例を示す図である。
【符号の説明】
【００４４】
１０１０…携帯端末、１１…ＣＰＵ、１２…メモリ、１３…操作部、１４…表示部、１５…通信部、１６…音声処理部、１７…傾きセンサ、１８…非接触ＩＣカード部、１９…電源部、２０…外部リーダライタ、３１…上側筐体、３２…下側筐体、３３…プリント基板、３５…ヒンジ部、４０…筐体面、５０…無効化抑止キー、６０…非接触ＩＣカード、６１…アンテナ、６２…無線部、６３…制御部、６６…記憶部、６７…傾きセンサ、６９…電源部
【図１】
2006340069.tif 000003
【図２】
2006340069.tif 000004
【図３】
2006340069.tif 000005
【図４】
2006340069.tif 000006
【図５】
2006340069.tif 000007
【図６】
2006340069.tif 000008
【図７】
2006340069.tif 000009
【図８】
2006340069.tif 000010
【図９】
2006340069.tif 000011